(57)【要約】【課題】  ４ラインのCCDを用いる画像読み取り装置により、カラーページ及びモノクロページが混在される原稿を、原稿内容に即してより効率的に読み取って、画質向上を図りあるいは読み取り速度の高速化を図る。【解決手段】  モノクロ速度あるいはカラー速度に切り替え可能なキャリッジ２、３を原稿内容に応じて切り替え制御する制御回路を設けて、４ラインCCD１２による原稿の第１ページ目の読み取りをモノクロ速度で行う。第１ページ目がカラーであれば、カラー速度に切り替えて再走査する。この後原稿内容に応じて、２ページ目以降の走査速度を設定し、必要を生じたときに再走査する。【選択図】図３
2005033807.tif 000002
【特許請求の範囲】
【請求項１】
第１の走査速度及び第２の走査速度に切り替え可能な走査装置を有し、カラー画像あるいはモノクロ画像を読み取る画像読み取り方法において、
複数ページからなる原稿の第１ページ目を前記第１の走査速度で原稿を走査する第１走査工程と、
前記第１ページ目が、前記第１の走査速度で走査すべきページであるかあるいは、前記第２の走査速度で走査すべきページであるかを判別する第１判別工程と、
前記第１判別工程による判別結果から、前記第２の走査速度で走査すべき前記第１ページ目に対して、前記第２の走査速度で再走査する第１再走査工程とを具備することを特徴とする画像読み取り方法。
【請求項２】
前記第１走査工程あるいは前記第１再走査工程終了後、第２ページ目から、前記第１走査工程、前記第１判別工程及び前記第１再走査工程と同じ工程を繰り返す、繰り返し工程を更に有することを特徴とする請求項１記載の画像読み取り方法。
【請求項３】
前記第１再走査工程を行わない場合には第２ページ目からの走査速度を前記第１の走査速度に固定し、前記第２ページ目からの原稿中の、前記第２の走査速度で走査すべきページに対してのみ、前記第２の走査速度で再走査する第１の固定走査工程と、
前記第１再走査工程を行う場合には前記第２ページ目からの走査速度を前記第２の走査速度に固定し、前記第２ページ目からの原稿中の、前記第１の走査速度で走査すべきページに対してのみ、前記第１の走査速度で再走査する第２の固定走査工程とを更に有することを特徴とする請求項１記載の画像読み取り方法。
【請求項４】
先行するページの走査速度が前記第１の走査速度であれば次のページを前記第１の走査速度に設定して走査し、前記次のページが前記第２の走査速度で走査すべきページの場合には、前記次のページを前記第２の走査速度で再走査する第１の設定工程と、
前記先行するページの走査速度が前記第２の走査速度であれば前記次のページを前記第２の走査速度に設定して走査し、前記次のページが前記第１の走査速度で走査すべきページの場合には、前記次のページを前記第１の走査速度で再走査する第２の設定工程とを更に有することを特徴とする請求項１記載の画像読み取り方法。
【請求項５】
前記第１の走査速度あるいは前記第２の走査速度が、前記カラー画像の読み取りに適したカラー速度あるいはモノクロ画像読み取りに適したモノクロ速度のいずれかであることを特徴とする請求項１乃至請求項４のいずれか記載の画像読み取り方法。
【請求項６】
カラー画像読み取りに適したカラー速度及びモノクロ画像読み取りに適したモノクロ速度を切り替え可能な走査装置を有し、カラー画像あるいはモノクロ画像を読み取る画像読み取り方法において、
複数ページからなる原稿が前記カラー画像あるいは前記モノクロ画像のいずれであっても前記原稿の全ページを前記モノクロ速度に固定して走査することを特徴とする画像読み取り方法。
【請求項７】
原稿を照射する光源を有し、第１の走査速度及び第２の走査速度で切り替え可能に前記原稿を走査する光学手段と、
前記光学手段による前記原稿の画像情報を受光する４ライン光電変換手段と、
前記原稿が、前記第１の走査速度で走査すべきページであるかあるいは、前記第２の走査速度で走査すべきページであるかを判別する判別手段と、
前記光学手段を制御する制御手段とを具備してなる画像読み取りシステムにおいて、
前記制御手段は、前記光学手段を前記第１の走査速度に設定して複数ページからなる前記原稿の第１ページ目の走査を行った後、前記判別手段にて、前記第１ページ目が前記第２の走査速度で走査すべき画像であると判別した場合に、前記光学手段を前記第２の走査速度に切り替えて前記第１ページ目の再走査をする様前記光学手段を制御する第１の制御を行うことを特徴とする画像読み取りシステム。
【請求項８】
前記制御手段は、前記第１の制御による前記第１ページ目の走査あるいは前記第１ページ目の再走査を終了した後、更に第２ページ目からの前記原稿に対して前記第１の制御と同じ工程を繰り返す様前記光学手段を制御する第２の制御を更に行うことを特徴とする請求項７記載の画像読み取りシステム。
【請求項９】
前記制御手段は、前記第１の制御にて再走査を行わない場合には前記原稿の第２ページ目から前記光学手段の走査速度を前記第１の走査速度に固定し、前記第２ページ目からの原稿中の前記第２の走査速度で走査すべきページに対してのみ、前記光学手段を前記第２の走査速度に切り替えて再走査をする様前記光学手段を制御する第３の制御を更に行い、
前記第１の制御にて再走査を行う場合には前記原稿の第２ページ目から前記光学手段の走査速度を前記第２の走査速度に固定し、前記第２ページ目からの原稿中の前記第１の走査速度で走査すべきページに対してのみ、前記光学手段を前記第１の走査速度に切り替えて再走査する様前記光学手段を制御する第４の制御を行うことを特徴とする請求項７記載の画像読み取りシステム。
【請求項１０】
前記制御手段は、先行するページを前記第１の走査速度で走査した場合には、次のページに対して前記光学手段を前記第１の走査速度に設定し、前記次のページが前記第２の走査速度で走査すべきページである場合には、前記光学手段を前記第２の走査速度に切り替えて再走査をする様前記光学手段を制御する第５の制御を更に行い、
先行するページを前記第２の走査速度で走査した場合には、前記次のページに対して前記光学手段を前記第２の走査速度に設定し、前記次のページが前記第１の走査速度で走査すべきページである場合には、前記光学手段を前記第１の走査速度に切り替えて再走査をする様前記光学手段を制御する第６の制御を更に行うことを特徴とする請求項７記載の画像読み取りシステム。
【請求項１１】
原稿を照射する光源を有し、カラー画像読み取りに適したカラー速度及びモノクロ画像読み取りに適したモノクロ速度で切り替え可能に前記原稿を走査する光学手段と、
前記光学手段による前記原稿の画像情報を受光する４ライン光電変換手段と、
前記原稿が、前記カラー速度で走査すべきページであるかあるいは、前記モノクロ速度で走査すべきページであるかを判別する判別手段と、
前記光学手段を制御する制御手段とを具備してなる画像読み取りシステムにおいて、
前記制御手段は、前記複数ページからなる前記原稿が前記カラー画像あるいは前記モノクロ画像のいずれであっても、前記原稿の全ページに対して前記光学手段を前記モノクロ速度に固定制御する第７の制御を行うことを特徴とする画像読み取りシステム。
【発明の詳細な説明】
【技術分野】
【０００１】
本発明は画像処理に関係し、特にカラー及びモノクロの両ページが混在した原稿を読み取り走査する画像読み取り方法及び画像読み取りシステムに関する。
【背景技術】
【０００２】
デジタル複写機やパーソナルコンピュータの端末等の画像読み取り装置において、光源による原稿からの反射光を受光して、光画像情報を電気信号に変換するカラー用の光電変換素子センサ（以下ＣＣＤセンサと略称する。）として、近年モノクロＣＣＤセンサとカラーＣＣＤセンサとを備え、カラー画像あるいはモノクロ画像のいずれにも高い解像度を得ることが出来る４ラインＣＣＤセンサが用いられている。この４ラインＣＣＤセンサのカラーＣＣＤセンサは、カラーフィルタを有するために、その感度はモノクロセンサの１／２に低減され、読み取り周波数もモノクロＣＣＤセンサの１／２となっている。
【０００３】
このような４ラインＣＣＤセンサを有する画像読み取り装置により、カラーページ及びモノクロページが混在する原稿を読み取る場合に、カラーページ／モノクロページのいずれにおいても高い解像度を得るには、モノクロページに対してはモノクロ速度で原稿を走査する一方、カラーページに対してはモノクロ速度の１／２の速度であるカラー速度で原稿を走査する必要がある。
【０００４】
このため従来は、モノクロ高速モードとカラー低速モードとを切り替え可能な４ラインカラーＣＣＤセンサを用いて、読み取りモードを予め固定的に選択して、モノクロ高速モードあるいはカラー低速モードのいずれかの走査速度で画像読み取りを行う画像読み取り装置が有る。（例えば特許文献１参照。）
【特許文献１】特開２００２−１１１９６８号公報（第４、５頁、図１）
【発明の開示】
【発明が解決しようとする課題】
【０００５】
しかしながら（特許文献１）では、原稿読み取り開始前に、ユーザが予めカラー速度あるいはモノクロ速度を固定的に選択することから、複数ページから成る原稿中にカラーページ及びモノクロページの両方が混在する場合には、全ての原稿に適したモードでの読み取りを行うことが出来なかった。即ち、予めモノクロ速度を選択した状態でカラーページを読み取った場合には、その解像度の低下により画質低下を来たしてしまう。他方、予めカラー速度を選択した状態でモノクロページを読み取った場合には、モノクロページはカラーページに比し２倍の高速読み取りが可能であるにもかかわらず、走査速度の高速化が妨げられてしまう。
【０００６】
このため４ラインＣＣＤセンサを用いる画像読み取り装置にて、カラーページ及びモノクロページの両方が混在する原稿を読み取る際に、原稿内容に適した画像走査速度で効率的に画像読み取りを行うことにより、カラーページにあっては高い解像度を得て読み取り画質の向上を図り、一方、モノクロページにあっては走査速度の高速化を図り、ユーザの各種要求に応じた画像読み取りを実施することが望まれている。
【０００７】
そこで本発明は上記課題を解決するものであり、カラーページ及びモノクロページの両方が混在する原稿を、原稿内容に適して効率的に読み取ることが可能であり、読み取り画質の向上を図り、あるいは走査速度の高速化を可能とする画像読み取り方法及び画像読み取りシステムを提供することを目的とする。
【課題を解決するための手段】
【０００８】
本発明は上記課題を解決するための手段として、第１の走査速度及び第２の走査速度に切り替え可能な走査装置を有し、カラー画像あるいはモノクロ画像を読み取る画像読み取り方法において、複数ページからなる原稿の第１ページ目を前記第１の走査速度で原稿を走査する第１走査工程と、前記第１ページ目が、前記第１の走査速度で走査すべきページであるかあるいは、前記第２の走査速度で走査すべきページであるかを判別する第１判別工程と、前記第１判別工程による判別結果から、前記第２の走査速度で走査すべき前記第１ページ目に対して、前記第２の走査速度で再走査する第１再走査工程とを実施するものである。
【発明の効果】
【０００９】
本発明によれば、カラーページ及びモノクロページが混在する原稿を読み取る間に、必要に応じて画像走査速度を設定し、あるいは切り替えることにより、原稿内容に適した効率的な読み取りを行うことが出来る。従ってカラーページ及びモノクロページが混在する原稿であっても、カラーページ及びモノクロページのいずれにも高い解像度を得ることが出来読み取り画質を向上出来る一方、必要に応じて走査速度の高速化も図れ、ユーザの各種要求に沿った良好な画像読み取りを得られる。
【発明を実施するための最良の形態】
【００１０】
以下、本発明の実施例１について図１乃至図６を用いて説明する。図１は本発明の画像読み取りシステムである画像読み取り装置１を示す、一部を省略した概略構成図である。図１に示すように、画像読み取り装置１は、キャリッジ２及びキャリッジ３を備える。キャリッジ２及びキャリッジ３に連結するワイヤ４は、画像読み取り装置１のフロント側及びリア側にて夫々掛け渡されている。
【００１１】
モータ（図示せず。）は、ベルトを介して駆動プーリ５を回転する。原稿７が図示しない自動原稿給紙装置（以下ＡＤＦと略称する。）により供給されて原稿ガラス６に載置されると、駆動プーリ５の回転はワイヤ４を介してキャリッジ２及びキャリッジ３に伝達され、光源（図示せず）により原稿７の先端（左側）から後端（右側）までの走査が成される。光源は、ランプあるいは他の発光素子であれば良く、キャリッジ２に搭載される。光源による原稿７からの反射光である走査画像は、キャリッジ２に搭載されるミラー８と、キャリッジ３に搭載されるミラー９、１０により反射され、レンズ１１により４ライン光電変換手段であるＣＣＤセンサ１２に集光される。ＣＣＤセンサ１２は、原稿７を走査してなる画像情報を電気信号に変換する。画像情報は一般にＲＧＢデータを含む。キャリッジ２、３、ワイヤ４、光源（図示せず。）、駆動プーリ５、ミラー８〜１０及びレンズ１１は光学手段を構成する。
【００１２】
光源により原稿７を走査する時の速度であるキャリッジ２、３の走査速度は、制御手段であるＣＰＵあるいは他の既知のコンピュータユニット等に設けられる制御回路により第１の走査速度であるモノクロ速度（カラー画像の副走査方向の解像度３００ＢＰＩ／モノクロ画像の副走査方向の解像度６００ＢＰＩ）あるいは第２の走査速度であるカラー速度（カラー画像の副走査方向の解像度６００ＢＰＩ）に切り替え可能とされている。
【００１３】
図２は４ラインのＣＣＤセンサ１２のブロック図である。図２に示すように４ラインのＣＣＤセンサ１２は、Ｒ（赤）センサ３０、Ｇ（緑）センサ４０及びＢ（青）センサ５０のカラーセンサを備える。更に４ラインのＣＣＤセンサ１２は、カラーセンサ３０、４０、５０とは独立したモノクロ（黒／白）センサ２０を備える。ＣＣＤセンサ１２からの出力により、原稿７がカラーであるかモノクロであるかを判別するための判別手段である判別回路（図示せず）がＣＰＵあるいは他の既知のコンピュータユニット等に設けられる。
【００１４】
モノクロセンサ２０は、カラーセンサ３０、４０、５０の２倍の処理能力を有する。カラーセンサ３０、４０、５０は、夫々カラーフィルタを内蔵している。カラーフィルタのためにカラーセンサ３０、４０、５０の感度はモノクロセンサ２０の感度の１／２に低減される。この感度の低減により、カラーセンサ３０、４０、５０の１ライン読み取り周波数も、モノクロセンサ２０の１／２となる。
【００１５】
例えば原稿７を走査して６００ＤＰＩの解像度を得ようとすると、カラーセンサ３０、４０、５０は、モノクロセンサ２０の１／２の速度でしか読み取りが出来ない。即ち、モノクロセンサ２０と同じ速度で読み取りを行うと、カラーセンサ３０、４０、５０から出力される画像信号の副走査方向の解像度は３００ＤＰＩとなってしまう。カラーセンサ３０、４０、５０にて６００ＤＰＩの解像度を達成するには、カラーセンサ３０、４０、５０の原稿走査速度は、例えば６００ＤＰＩの解像度を得るモノクロセンサ２０の走査速度の１／２にしなければならない。この様にカラーセンサとモノクロセンサとの解像度が異なることから、モノクロページとカラーページの両方が混在される原稿の読み取りを、同じ速度で行うと悪影響を生じることとなる。
【００１６】
次に画像読み取り装置１により、モノクロページとカラーページの両方を混在してなる原稿７を原稿内容に応じて効率的に読み取るための作用について述べる。先ず図３を用いて（具体例１）について述べる。
【００１７】
（具体例１）
図３は、本実施例における画像読み取りプロセスの（具体例１）のフローチャートである。画像読み取りプロセスは、制御手段であるＣＰＵあるいは他の既知のコンピュータユニットにより制御される。
【００１８】
モノクロページとカラーページの両方を混在してなる原稿７をＡＤＦ（図示せず）にセットして画像読み取りプロセスを開始すると、原稿７の第１ページ目がＡＤＦにより原稿ガラス６に供給される。次いでキャリッジ２、３は、原稿７の第１ページ目を先ずモノクロ速度で走査して、第１ページ目から読み取った画像をＣＣＤセンサ１２に集光する。これにより第１走査工程であるモノクロ速度での第１ページ目の読み取り走査が成される（ステップ３１０）。複数ページからなる原稿の各ページは、モノクロページ、カラーページあるいはその両方を有するページ等任意である。一般に、１ページ中にカラー画像とモノクロ画像との両方の画像を有するページは、カラーページとして扱われる。モノクロ速度は、モノクロ画像情報に対して、所望の例えば６００ＤＰＩの解像度を得るための走査速度である。
【００１９】
モノクロ速度での原稿７の第１ページ目の走査を終了した後、読み取ったページがカラーかモノクロかを判別する第１判別工程を行う（ステップ３１２）。この判別は、判別回路（図示せず）にてＣＣＤセンサ１２から出力されるＲＧＢ値を分析して成される。ＣＣＤセンサ１２から出力されたＲＧＢ値が全て等しければ、原稿はモノクロ画像であると判別される。一方ＲＧＢ値が等しくなければ、原稿はカラー画像であると判別される。読み取ったページがカラーであるかモノクロであるかの判別は他の方法によっても良い。例えば、ＲＧＢ値を予め設定される閾値と比較して、ＲＧＢ値が閾値から大きく外れていれば、そのページをカラーと判別する等しても良い。
【００２０】
読み取りされたページがモノクロと判別されると、ＣＣＤセンサ１２から出力される読み取り信号が受理される（ステップ３１４）。読み取りされたページがモノクロであると判別されると、モノクロ信号のみが受理されＲＧＢ信号は無視される。ＣＣＤセンサ１２から出力される、読み取りされたページの画像情報に相当する読み取り信号は、さまざまな目的のために各種装置に受理され使用可能とされる。
【００２１】
例えば読み取り信号は、コピー装置あるいはコピー機能を有するMFP（Multi−Function−Peripheral）等に受理され、読み取ったページの複製のために、ページメモリに格納されることが可能である。読み取り信号は、ユーザがファイルにアクセス可能な文書管理システムあるいは他の記憶システムのバッファに格納される事も可能である。更に読み取り信号をファクシミリ等により他の装置に転送する事も可能である。
【００２２】
CCDセンサ１２から出力される信号が受理されない（拒絶される）場合は、読み取り信号は単に削除されるかあるいは前述のバッファやページメモリ等に上書きされる。制御回路は、ＣＣＤセンサ１２による読み取り信号を受理するべきか拒絶するべきかの決定を成す様設定可能である。
【００２３】
ステップ３１２で、読み取られたページがカラーと判別されると、キャリッジ２、３の走査速度が切り替えられ、原稿７はカラー速度で再走査される（ステップ３１６）。カラー速度は、カラー画像情報に対して、所望の例えば６００ＤＰＩの解像度を得るための走査速度である。あるいはカラー速度は、モノクロ速度で発生されるモノクロデータと同じ解像度のカラー画像情報を得ることが出来る走査速度として決定される。カラー速度は、モノクロ速度と関連して決定される。
【００２４】
図２のモノクロセンサ２０及びカラーセンサ３０、４０、５０を備える４ラインのＣＣＤセンサ１２では、モノクロセンサ２０及びカラーセンサ３０、４０、５０を共に同じ走査速度とすると、モノクロセンサ２０に比べてカラーセンサ３０、４０、５０の解像度は低下する。モノクロ画像情報と同じ解像度を達成するためには、カラーページはモノクロページより低速で走査される。カラー速度とモノクロ速度の差は、カラーセンサ及びモノクロセンサによる解像度の差に依存する。例えばモノクロ速度での走査時に、モノクロセンサの解像度が６００ＤＰＩでカラーセンサの解像度が３００ＤＰＩであれば、同じ６００ＤＰＩ解像度を生じるためのカラーの走査速度は、モノクロの走査速度の半分になる。
【００２５】
ステップ３１６によるカラー速度での再走査完了により、ＣＣＤセンサ１２から出力される読み取り信号が受理される（ステップ３１４）。再走査されたページがカラーであることからステップ３１４では、ＲＧＢ信号の受け取りのみが可能とされ、モノクロ信号は無視される。ステップ３１４終了後に、原稿７が、更に走査されるべき次のページを有するかどうか判断する（ステップ３１８）。新たなページが有れば、ステップ３１０〜３１６に従って次のページの画像情報が読み込まれる。ページが残っていなければプロセスは終了する。
【００２６】
即ちこの（具体例１）は、原稿７をモノクロ速度で走査ことを基本としていて、ステップ３１０にて先ず原稿７の第１ページ目をモノクロ速度で読み取った後、第１ページ目がカラーページであることを検知した場合には、キャリッジ２、３の走査速度をカラー速度に切り替えて、ステップ３１６にて第１ページ目をカラー速度で再走査するという第１の制御を実施し、その後キャリッジ２、３の走査速度をモノクロ速度に復帰して、２ページ目以降がまだ残っている場合には、第２ページ目以降に対してもステップ３１０〜３１８の繰り返しを実施するという第２の制御を行うものである。
【００２７】
以上説明したように図３の（具体例１）のプロセスを用いることにより、モノクロページとカラーページの両方を混在してなる原稿７の両タイプのページのいずれにあっても同じ解像度の読み取り信号を得られる。従ってカラーページ及びモノクロページが混在する原稿７であっても、読み取り画質の向上を得られる。
【００２８】
尚このプロセスでは、各ページがモノクロであってもカラーであっても先ず第１ページ目をモノクロ速度で読み取り、読み取った結果カラーであると判明するとカラー速度で再走査しているが、これに限定されない。例えば、第１の走査速度をカラー速度とし、第２の走査速度をモノクロ速度に設定して、先ず第１ページ目をカラー速度で走査して、読み取った結果モノクロと判明した時にはモノクロ速度で再走査するようにしても良い。
【００２９】
次に図４を用いて（具体例２）について述べる。
【００３０】
（具体例２）
図４は、本実施例における画像読み取りプロセスの（具体例２）を示すフローチャートである。モノクロページとカラーページが混在される原稿７をＡＤＦ（図示せず）にセットして画像読み取りプロセスを開始すると、図３の（具体例１）と同様にして、原稿７の第１ページ目がモノクロ速度で読み取られ（ステップ４１０）、読み取り結果に基づき、第１ページ目がカラーかモノクロか判別される（ステップ４１２）。第１ページ目がモノクロと判別されると、ＣＣＤセンサ１２から出力される読み取り信号が受理される（ステップ４１４）。
【００３１】
上述したように、第１ページ目がモノクロであると判別されると、モノクロ信号のみが受理されＲＧＢ信号は無視される。次いで第１ページ目の走査速度であるモノクロ速度を、固定の速度として設定する（ステップ４１６）。原稿７中の２ページ目からを走査する時には、先ずこの固定の速度を走査速度として用いる。（具体例２）のステップ４１６では、モノクロ速度を予め設定する固定の速度とする。
【００３２】
ステップ４１６でモノクロ速度を固定の速度として設定した後、原稿７が、更に次のページを有するかどうか判断する（ステップ４１８）。次にページがなければプロセスは終了する。次にページが有れば、後続のページは、固定の速度であるモノクロ速度で読み取られる（ステップ４２０）。第１ページ目と同様、後続のページがカラーかモノクロかを判別する（ステップ４２２）。モノクロページであれば、ＣＣＤセンサ１２から出力される読み取り信号が受理される（ステップ４２４）。（モノクロ信号のみが読み込まれる。）
ステップ４２０で読み取られたページがカラーであると判別される場合にはカラー速度での再走査がなされる（ステップ４２６）。ステップ４２６での再走査終了後に、ＣＣＤセンサ１２から出力される読み取り信号が受理される（ステップ４２４）。（ＲＧＢ信号のみが読み込まれる。）図４のステップ４１８〜４２６は、図３のステップ３１０〜３１８に相当する。この後、原稿７の後続のページに対してステップ４１８〜４２６が繰り返される。
【００３３】
ステップ４１２で、原稿７の第１ページ目がカラーと判別されると、第１ページ目は、カラー速度で再走査される（ステップ４２８）。再走査後、ＣＣＤセンサ１２から出力される読み取り信号が受理される（ステップ４３０）。（カラー信号のみが読み込まれる。）
次いで第１ページ目がカラーであると判別されることから、第１ページ目の走査速度であるカラー速度を、固定の速度として設定する（ステップ４３２）。この後原稿７中の２ページ目からを走査する時には、先ずこの固定のカラー速度を走査速度として用いる。更に原稿７が次のページを有するかどうか判断する（ステップ４３４）。次にページがなければプロセスは終了する。次にページが有れば、後続のページは、固定の速度であるカラー速度で読み取られる（ステップ４３６）。第１ページ目と同様、後続のページがカラーかモノクロかを判別する（ステップ４３８）。ステップ４３６で読み取られたページがカラーページであれば、ＣＣＤセンサ１２から出力される読み取り信号が受理される（ステップ４４０）。（カラー信号のみが読み込まれる。）
ステップ４３６で読み取られたページがモノクロと判別される場合にはモノクロ速度での再走査がなされる（ステップ４４２）。ステップ４４２での再走査終了後に、ＣＣＤセンサ１２から出力される読み取り信号が受理される（ステップ４４０）。（ＲＧＢ信号のみが読み込まれる。）
設定した固定の速度が異なることから、カラーとモノクロが入れ替わるものの、図４のステップ４３４〜４４２は図４のステップ４１８〜４２６に相当する。原稿７の後続のページに対してステップ４３４〜４４２が繰り返される。
【００３４】
この（具体例２）は、（具体例１）が第１ページ目を読み取る前から予め走査速度をモノクロ速度あるいはカラー速度のいずれかに設定するのに対して、原稿の第１ページ目がモノクロ速度であるかカラー速度であるかに従って固定の速度を設定するものである。即ち（具体例２）は、(具体例１)と同様に、ステップ４１０にて先ず第１ページ目をモノクロ速度で読み取り、カラーページであることを検知した場合には、走査速度をカラー速度に切り替えて第１ページ目をカラー速度で再走査するという第１の制御を実施する。その後ステップ４１２で第１ページ目がモノクロと判断された場合は、ステップ４１６のモノクロ速度を固定の速度に設定し更にステップ４１８〜４２６を繰り返すという第１の固定走査工程である第３の制御を実施するものである。また、ステップ４１２で第１ページ目がカラーと判断された場合はステップ４３２のカラー速度を固定の速度に設定し更にステップ４３４〜４４２を繰り返すという、第２の固定走査工程である第４の制御を実施するものである。
【００３５】
以上説明したように図４の（具体例２）のプロセスを用いることにより、図３の（具体例１）と同様に、モノクロページとカラーページの両方を混在してなる原稿７の両タイプのページのいずれにあっても同じ解像度の読み取り信号を得られる。更に一般的に原稿内容は、第１ページ目がカラーであれば後続のページもカラーであり、第１ページ目がモノクロであれば後続のページもモノクロであることが多い。このような内容の原稿に対しては、（具体例２）のように、第１ページ目の原稿がカラーであるかモノクロであるかによって、後続の原稿の走査速度を固定すれば、後続の原稿の再走査工程の頻度を低減出来という効果も得られる。従ってカラーページ及びモノクロページが混在する原稿７であっても、読み取り画質を向上出来、又原稿内容によっては走査速度の一層の高速化を図れ、原稿内容に応じてユーザの要求に沿った良好な画像読み取りが可能となる。
【００３６】
尚本（具体例２）にあっては、図３のプロセスと同様、図４のステップ４１０に示す第１ページ目をカラー速度で走査しても良い。
【００３７】
次に図５を用いて（具体例３）について述べる。
【００３８】
（具体例３）
図５は、本実施例における画像読み取りプロセスの（具体例３）を示すフローチャートである。モノクロページとカラーページを混在してなる原稿７をＡＤＦ（図示せず）にセットして画像読み取りプロセスを開始すると、図４の（具体例２）と同様にして、原稿７の第１ページ目がモノクロ速度で読み取られる（ステップ５１０）。読み取り結果に基づき、第１ページ目がカラーかモノクロか判別される（ステップ５１２）。第１ページ目がモノクロであれば、ＣＣＤセンサ１２から出力される読み取り信号が受理される（ステップ５１４）。
【００３９】
上述したように第１ページ目がモノクロであると判別されると、モノクロ信号のみが受理され、ＲＧＢ信号は無視される。ステップ５１４により読み取り信号が読み込まれた後、原稿７が、更に次のページを有するかどうか判断する（ステップ５１６）。次にページがなければプロセスは終了する。次にページが有れば、ステップ５１０に戻って、次のページは、先行するページの走査速度と同じモノクロ速度で読み取られる。
【００４０】
ステップ５１２で、原稿７の第１ページ目がカラーであると判別されると、第１ページ目は、カラー速度で再走査される（ステップ５１８）。次いで再走査後、ＣＣＤセンサ１２から出力される読み取り信号が受理される（ステップ５２０）。上述したように、読み込まれたページがカラー画像と判断されると、ＲＧＢ信号の受け取りのみが可能とされ、モノクロ信号は無視される。次いで原稿７が、更に次のページを有するかどうかを判断する（ステップ５２２）。次にページがなければプロセスは終了する。次にページが有れば、次のページは、先ず先行するページの走査速度と同じカラー速度で読み取られる（ステップ５２４）。次いで第１ページ目と同様にして、次に読み取られたページがカラーかモノクロかを判別する（ステップ５２６）。読み取られたページがカラーであればステップ５２０に戻って、ＣＣＤセンサ１２から出力される読み取り信号が受理される。この後次のページが有れば、ステップ５２２及びステップ５２４に従い、次のページを先ず先行するページの走査速度と同じカラー速度で読み取る。
【００４１】
ステップ５２６で、次に読み取られたページがモノクロであれば、そのページは、モノクロ速度で再走査され（ステップ５２８）、次いで再走査後に、ステップ５１４に従い、ＣＣＤセンサ１２からの画像信号が読み込まれる。この後次のページが有れば、ステップ５１６及びステップ５１０に従い、次のページを先ず先行するページの走査速度と同じモノクロ速度で読み取る。
【００４２】
この図５に示す（具体例３）は、効率的な読み取りを行うために固定の走査速度を設定するという点で図４に示す（具体例２）に類似する。図５と図４の両プロセスの違いは、図４が第１ページ目に依存して固定の走査速度を設定するのに対して、図５は最新に読み取られた前のページに依存して次のページの操作速度を固定の速度に設定する事である。
【００４３】
即ち（具体例３）はステップ５１０にて先ず第１ページ目をモノクロ速度で読み取り、カラーページであることを検知した場合には、走査速度をカラー速度に切り替えて、再走査するという第１の制御を実施する。その後ステップ５１２で先行するページがモノクロと判断された場合であって、ステップ５１６にて次のページがまだある場合は、直ぐ前のページと同じ走査速度であるモノクロ速度で次のページを読み取るよう、第１の設定工程である第５の制御であるステップ５１０〜５１６を繰り返すものである。また、ステップ５１２で先行するページがカラーと判別された場合であって、ステップ５２２にて次のページがまだある場合は、直ぐ前のページと同じ走査速度であるカラー速度で次のページを読み取るよう、第２の設定工程である第６の制御であるステップ５２０〜５２６を繰り返すものである。例えば、図５では、第１ページがカラーであると、次のページは、先ずカラー速度で読み取られる。そして後続のページがカラーである限り、次のページは先ずカラーの走査速度で読み取られる。但しもし後続のページがモノクロであるとすると、そのページはモノクロ速度で再走査され、それに続く次ぎのページは、先ずモノクロ速度で読み取られることとなる。
【００４４】
以上説明したように図５の（具体例３）のプロセスを用いることにより、図４の（具体例２）と同様に、モノクロページとカラーページの両方を混在してなる原稿７両タイプのページのいずれにあっても同じ解像度の読み取り信号を得られる。更に（具体例３）にあっては、次のページを直前のページの走査速度と同じ速度で読み取ることから、特に原稿内容が、カラーページとモノクロページとがグループ化されたような原稿である場合に、次のページの再走査工程を低減出来るという効果も得られる。従ってモノクロページとカラーページが混在する原稿であっても、読み取り画質を向上出来、又原稿内容によっては走査速度の一層の高速化を図れ、原稿内容に応じてユーザの要求に沿った良好な画像読み取りが可能となる。
【００４５】
尚本（具体例３）にあっては、図３及び図４のプロセスと同様、図５のステップ５１０に示す第１ページ目をカラー速度で走査しても良い。
【００４６】
次に図６を用いて（具体例４）について述べる。
【００４７】
（具体例４）
図６は、本実施例における画像読み取りプロセスの（具体例４）を示すフローチャートである。モノクロページとカラーページの両方を混在してなる原稿７をＡＤＦ（図示せず）にセットして画像読み取りプロセスを開始すると、原稿７は、モノクロ速度で読み取られる（ステップ６１０）。読み取り結果に基づき、読み取られたページがカラーかモノクロか判別される（ステップ６１２）。走査されたページがモノクロであれば、モノクロセンサ２０から出力される読み取り信号が受理される（ステップ６１４）。モノクロセンサ２０から出力される読み取り信号は黒と白のみのデータである。更に、ページがモノクロ速度で読み取られることから、モノクロセンサ２０からの画像信号は所望の６００ＤＰＩとなっている。
【００４８】
ステップ６１０で走査されたページがカラーであれば、Ｒ（赤）センサ３０、Ｇ（緑）センサ４０及びＢ（青）センサ５０のカラーセンサから出力される読み取り信号が受理される（ステップ６１６）。ステップ６１０にあっては、走査速度がモノクロ速度であるので、カラーセンサ３０〜５０から出力される読み取り信号の解像度は、モノクロセンサ２０からの読み取り信号の解像度６００ＤＰＩに比べて、３００ＤＰＩと低くなる。次いで原稿７が更なる次のページを有するかどうか判断する（ステップ６１８）。もし次のページがなければプロセスは終了する。もし次のページが有れば、プロセス６１０に戻って、その後、プロセス６１０〜６１８を繰り返す。
【００４９】
この図６に示す（具体例４）は、原稿内容がカラーであってもモノクロであっても、走査速度をモノクロ速度に固定制御して、原稿の全てのページをモノクロ速度で読み取るという第７の制御を実施するものである。
【００５０】
この図６の（具体例４）のプロセスでは、原稿の全てのページを、カラー速度に比しより高速で走査するモノクロ速度で読み取り、カラー速度での再走査を行わないことから、カラーページについては解像度が低下されるものの、一層の高速での読み取りを達成出来る。
【００５１】
本実施例において、モノクロページとカラーページが混在される原稿７の読み取りを行う際にユーザは、図３〜６のどのプロセスを採用して読み取りを行うかを、読み取り開始前に選択出来る。更にユーザは、図３〜５のプロセスにおける、最初の走査速度をモノクロ速度とするかあるいはカラー速度とするか選択出来る。ユーザは、原稿の内容を把握して、図３〜６のどのプロセスを採用するか、あるいは最初の走査速度をどちらにするか等を、原稿の内容に適して選択を行うことが出来る。例えば、原稿中のカラーページとモノクロページを数えて、ページ数の多い方を最初の走査速度としても良い。更に固定の走査速度を設定する際に、例えば原稿の最後の３ページが、カラーページとモノクロページのどちらが多いかというようなことを参考にする等しても良い。
【００５２】
即ち本実施例によれば、モノクロページとカラーページを混在してなる原稿７を読み取る際に、ユーザの各種要求に従い、原稿の内容により適したプロセスを選択出来る。従ってモノクロページとカラーページが混在する原稿であっても、原稿内容に適した効率的な原稿読み取りができ、読み取り画質を向上しあるいは走査速度を高速化出来、ユーザの各種要求に沿った良好な画像読み取りを得られる。
【００５３】
尚上記の実施例は発明の一例であって発明を限定するものでは無い。本発明は発明の趣旨を変えない範囲で種々に変更することが可能である。
【図面の簡単な説明】
【００５４】
【図１】本発明の実施例１の画像読み取り装置を示す一部を省略した概略構成図である。
【図２】本発明の実施例１の４ラインのＣＣＤセンサ１２を示すブロック図である。
【図３】本発明の実施例１の(具体例１)を示すである。
【図４】本発明の実施例１の(具体例２)を示すである。
【図５】本発明の実施例１の(具体例３)を示すである。
【図６】本発明の実施例１の(具体例４)を示すである。
【符号の説明】
【００５５】
１…画像読み取り装置
２、３…キャリッジ
４…ワイヤ
５…駆動プーリ
６…原稿ガラス
７…原稿
８、９、１０…ミラー
１１…レンズ
１２…CCDセンサ
２０…モノクロセンサ
３０…Ｒ（赤）センサ
４０…Ｇ（緑）センサ
５０…Ｂ（青）センサ
【図１】
2005033807.tif 000003
【図２】
2005033807.tif 000004
【図３】
2005033807.tif 000005
【図４】
2005033807.tif 000006
【図５】
2005033807.tif 000007
【図６】
2005033807.tif 000008